【手続補正書】
【提出日】平成27年11月6日(2015.11.6)
【手続補正１】
【補正対象書類名】特許請求の範囲
【補正対象項目名】全文
【補正方法】変更
【補正の内容】
【特許請求の範囲】
【請求項１】
１つまたは複数の時空間ストリーム上で通信する方法であって、前記方法は、
２ＭＨｚ以下の帯域幅をもつ第１のストリームを送信することと、
少なくとも２つのストリームがあるとき、周期の１／２に等しい前記第１のストリームに対するサイクリックシフト遅延をもつ第２のストリームを送信することと、
少なくとも３つのストリームがあるとき、前記周期の１／４に等しい前記第１のストリームと前記第２のストリームとのうちの一方に対するサイクリックシフト遅延をもつ第３のストリームを送信することと、
少なくとも４つのストリームがあるとき、前記周期の１／４に等しい前記第１のストリームと前記第２のストリームとのうちの他方に対するサイクリックシフト遅延をもつ第４のストリームを送信することと
を備える、方法。
【請求項２】
前記第２のストリームを送信することが、前記第１のストリームに対する４μｓのサイクリックシフト遅延をもつ前記第２のストリームを送信することを含み、
前記第３のストリームを送信することが、前記第１のストリームに対する２μｓのサイクリックシフト遅延をもつ前記第３のストリームを送信することを含み、
前記第４のストリームを送信することが、前記第１のストリームに対する６μｓのサイクリックシフト遅延をもつ前記第４のストリームを送信することを含み、
特に、少なくとも１つのストリームを送信することが、シングルセグメントフレームのオムニ部分を送信することを含む、
請求項１に記載の方法。
【請求項３】
ストリーム帯域幅、フレームフォーマット、および送信アンテナのうちの１つまたは複数に基づいて、前記ストリームの各々のためのサイクリックシフト遅延テーブルを選択することと、
前記選択されたサイクリックシフト遅延テーブルに基づいて各ストリームにサイクリックシフト遅延を適用することと、
前記適用されたサイクリックシフト遅延を用いて前記ストリームを送信することと
をさらに備える、請求項１に記載の方法。
【請求項４】
第１のサイクリックシフト遅延テーブルに従ってデータユニットの第１の部分を送信することと、
第２のサイクリックシフト遅延テーブルに従って前記データユニットの第２の部分を送信することと
をさらに備える、請求項１に記載の方法。
【請求項５】
前記第１の部分がオムニ部分を含み、前記第２の部分が、プリコーディングされた部分を含む、あるいは、
前記第１のサイクリックシフト遅延テーブルが、ペイロードの受信電力で除算されたショートトレーニングフィールドの受信電力のメトリックに基づいて決定される、あるいは、
前記第２のサイクリックシフト遅延テーブルが、信号フィールドの受信電力で除算されたショートトレーニングフィールドの受信電力のメトリックに基づいて決定される、
請求項４に記載の方法。
【請求項６】
送信することが、１ＭＨｚ帯域幅で送信することを含む、請求項１に記載の方法。
【請求項７】
送信することが、２ＭＨｚ帯域幅で送信することを含む、請求項１に記載の方法。
【請求項８】
１つまたは複数の時空間ストリーム上で通信するための装置であって、
２ＭＨｚ以下の帯域幅をもつ第１のストリームを送信するための手段と、
少なくとも２つのストリームがあるとき、周期の１／２に等しい前記第１のストリームに対するサイクリックシフト遅延をもつ第２のストリームを送信するための手段と、
少なくとも３つのストリームがあるとき、前記周期の１／４に等しい前記第１のストリームと前記第２のストリームとのうちの一方に対するサイクリックシフト遅延をもつ第３のストリームを送信するための手段と、
少なくとも４つのストリームがあるとき、前記周期の４分の１に等しい前記第１のストリームと前記第２のストリームとのうちの他方に対するサイクリックシフト遅延をもつ第４のストリームを送信するための手段と
を備える、装置。
【請求項９】
前記第１のストリームに対する４μｓのサイクリックシフト遅延をもつ前記第２のストリームを送信することを含む、前記第２のストリームを送信するための手段と、
前記第１のストリームに対する２μｓのサイクリックシフト遅延をもつ前記第３のストリームを送信することを含む、前記第３のストリームを送信するための手段と、
前記第１のストリームに対する６μｓのサイクリックシフト遅延をもつ前記第４のストリームを送信することを含む、前記第４のストリームを送信するための手段と
をさらに備え、
特に、少なくとも１つのストリームを送信するための手段が、シングルセグメントフレームのオムニ部分を送信するための手段を含む、
請求項８に記載の装置。
【請求項１０】
ストリーム帯域幅、フレームフォーマット、および送信アンテナのうちの１つまたは複数に基づいて、前記ストリームの各々のための新しいサイクリックシフト遅延テーブルを選択するための手段と、
前記選択されたサイクリックシフト遅延テーブルに基づいて各ストリームにサイクリックシフト遅延を適用するための手段と、
前記適用されたサイクリックシフト遅延を用いて前記ストリームを送信するための手段と
をさらに備える、請求項８に記載の装置。
【請求項１１】
第１のサイクリックシフト遅延テーブルに従ってデータユニットの第１の部分を送信するための手段と、
第２のサイクリックシフト遅延テーブルに従って前記データユニットの第２の部分を送信するための手段と
をさらに備える、請求項８に記載の装置。
【請求項１２】
前記第１の部分がオムニ部分を含み、前記第２の部分が、プリコーディングされた部分を含む、あるいは、
前記第１のサイクリックシフト遅延テーブルが、ペイロードの受信電力で除算されたショートトレーニングフィールドの受信電力のメトリックに基づいて決定される、あるいは、
前記第２のサイクリックシフト遅延テーブルが、信号フィールドの受信電力で除算されたショートトレーニングフィールドの受信電力のメトリックに基づいて決定される、
請求項１１に記載の装置。
【請求項１３】
送信するための手段が、１ＭＨｚ帯域幅で送信するための手段を含む、請求項８に記載の装置。
【請求項１４】
送信するための手段が、シングルセグメントフレームを送信するための手段を含む、請求項８に記載の装置。
【請求項１５】
コンピュータ上で実行されたときに、請求項１から７までのいずれか１項に記載のステップを実行するための命令を備える、コンピュータ可読媒体。
【手続補正２】
【補正対象書類名】明細書
【補正対象項目名】０１６７
【補正方法】変更
【補正の内容】
【０１６７】
上記は本開示の態様を対象とするが、本開示の他の態様およびさらなる態様は、それの基本的範囲から逸脱することなく考案され得る。本明細書で説明した態様、または追加の態様について、添付した付属書類においてさらに説明していることがある。付属書類に含まれる資料は、例示的なものにすぎず、いかなる方法でも限定的なものでない。当業者なら、本明細書に含まれる説明に基づいて様々な態様を諒解し、そのような態様の利益および利点をさらに諒解されよう。
以下に、出願当初の特許請求の範囲に記載された発明を付記する。
［１］
［Ｃ１］
１つまたは複数の時空間ストリーム上で通信する方法であって、前記方法は、
２ＭＨｚ以下の帯域幅をもつ第１のストリームを送信することと、
少なくとも２つのストリームがあるとき、周期の１／２に等しい前記第１のストリームに対するサイクリックシフト遅延をもつ第２のストリームを送信することと、
少なくとも３つのストリームがあるとき、前記周期の１／４に等しい前記第１のストリームと前記第２のストリームとのうちの一方に対するサイクリックシフト遅延をもつ第３のストリームを送信することと、
少なくとも４つのストリームがあるとき、前記周期の１／４に等しい前記第１のストリームと前記第２のストリームとのうちの他方に対するサイクリックシフト遅延をもつ第４のストリームを送信することと
を備える、方法。
［Ｃ２］
前記第２のストリームを送信することが、前記第１のストリームに対する４μｓのサイクリックシフト遅延をもつ前記第２のストリームを送信することを含み、
前記第３のストリームを送信することが、前記第１のストリームに対する２μｓのサイクリックシフト遅延をもつ前記第３のストリームを送信することを含み、
前記第４のストリームを送信することが、前記第１のストリームに対する６μｓのサイクリックシフト遅延をもつ前記第４のストリームを送信することを含む、
上記Ｃ１に記載の方法。
［Ｃ３］
少なくとも１つのストリームを送信することが、シングルセグメントフレームのオムニ部分を送信することを含む、上記Ｃ２に記載の方法。
［Ｃ４］
ストリーム帯域幅、フレームフォーマット、および送信アンテナのうちの１つまたは複数に基づいて、前記ストリームの各々のためのサイクリックシフト遅延テーブルを選択することと、
前記選択されたサイクリックシフト遅延テーブルに基づいて各ストリームにサイクリックシフト遅延を適用することと、
前記適用されたサイクリックシフト遅延を用いて前記ストリームを送信することと
をさらに備える、上記Ｃ１に記載の方法。
［Ｃ５］
第１のサイクリックシフト遅延テーブルに従ってデータユニットの第１の部分を送信することと、
第２のサイクリックシフト遅延テーブルに従って前記データユニットの第２の部分を送信することと
をさらに備える、上記Ｃ１に記載の方法。
［Ｃ６］
前記第１の部分がオムニ部分を含み、前記第２の部分が、プリコーディングされた部分を含む、上記Ｃ５に記載の方法。
［Ｃ７］
前記第１のサイクリックシフト遅延テーブルが、ペイロードの受信電力で除算されたショートトレーニングフィールドの受信電力のメトリックに基づいて決定される、上記Ｃ５に記載の方法。
［Ｃ８］
前記第２のサイクリックシフト遅延テーブルが、信号フィールドの受信電力で除算されたショートトレーニングフィールドの受信電力のメトリックに基づいて決定される、上記Ｃ５に記載の方法。
［Ｃ９］
送信することが、１ＭＨｚ帯域幅で送信することを含む、上記Ｃ１に記載の方法。
［Ｃ１０］
送信することが、２ＭＨｚ帯域幅で送信することを含む、上記Ｃ１に記載の方法。
［Ｃ１１］
１つまたは複数の時空間ストリーム上で通信するように構成されたワイヤレスデバイスであって、前記デバイスは、
各時空間ストリームに関するサイクリックシフト遅延を決定するように構成されたプロセッサと、
メモリと、
送信機であって、
２ＭＨｚ以下の帯域幅をもつ第１のストリームを送信することと、
少なくとも２つのストリームがあるとき、周期の１／２に等しい前記第１のストリームに対するサイクリックシフト遅延をもつ第２のストリームを送信することと、
少なくとも３つのストリームがあるとき、前記周期の１／４に等しい前記第１のストリームと前記第２のストリームとのうちの一方に対するサイクリックシフト遅延をもつ第３のストリームを送信することと、
少なくとも４つのストリームがあるとき、前記周期の１／４に等しい前記第１のストリームと前記第２のストリームとのうちの他方に対するサイクリックシフト遅延をもつ第４のストリームを送信することと
を行うように構成された送信機と
を備える、デバイス。
［Ｃ１２］
前記送信機は、
前記第１のストリームに対する４μｓのサイクリックシフト遅延をもつ前記第２のストリームを送信することを含む、前記第２のストリームを送信することと、
前記第１のストリームに対する２μｓのサイクリックシフト遅延をもつ前記第３のストリームを送信することを含む、前記第３のストリームを送信することと、
前記第１のストリームに対する６μｓのサイクリックシフト遅延をもつ前記第４のストリームを送信することを含む、前記第４のストリームを送信することと
を行うようにさらに構成された、上記Ｃ１１に記載のデバイス。
［Ｃ１３］
前記送信機が、シングルセグメントフレームのオムニ部分を送信するようにさらに構成された、上記Ｃ１２に記載のデバイス。
［Ｃ１４］
前記プロセッサが、
ストリーム帯域幅、フレームフォーマット、および送信アンテナのうちの１つまたは複数に基づいて、前記ストリームの各々のための新しいサイクリックシフト遅延テーブルを選択することと、
前記選択されたサイクリックシフト遅延テーブルに基づいて各ストリームにサイクリックシフト遅延を適用することと
を行うようにさらに構成され、
前記送信機が、前記適用されたサイクリックシフト遅延を用いて前記ストリームを送信するようにさらに構成された、
上記Ｃ１１に記載のデバイス。
［Ｃ１５］
前記送信機が、
第１のサイクリックシフト遅延テーブルに従ってデータユニットの第１の部分を送信することと、
第２のサイクリックシフト遅延テーブルに従って前記データユニットの第２の部分を送信することと
を行うようにさらに構成された、上記Ｃ１１に記載のデバイス。
［Ｃ１６］
前記第１の部分がオムニ部分を含み、前記第２の部分が、プリコーディングされた部分を含む、上記Ｃ１５に記載のデバイス。
［Ｃ１７］
前記第１のサイクリックシフト遅延テーブルが、ペイロードの受信電力で除算されたショートトレーニングフィールドの受信電力のメトリックに基づいて決定される、上記Ｃ１５に記載のデバイス。
［Ｃ１８］
前記第２のサイクリックシフト遅延テーブルが、信号フィールドの受信電力で除算されたショートトレーニングフィールドの受信電力のメトリックに基づいて決定される、上記Ｃ１５に記載のデバイス。
［Ｃ１９］
前記送信機が、１ＭＨｚ帯域幅で送信するように構成された、上記Ｃ１１に記載のデバイス。
［Ｃ２０］
前記送信機が、２ＭＨｚ帯域幅で送信するように構成された、上記Ｃ１１に記載のデバイス。
［Ｃ２１］
１つまたは複数の時空間ストリーム上で通信するための装置であって、
２ＭＨｚ以下の帯域幅をもつ第１のストリームを送信するための手段と、
少なくとも２つのストリームがあるとき、周期の１／２に等しい前記第１のストリームに対するサイクリックシフト遅延をもつ第２のストリームを送信するための手段と、
少なくとも３つのストリームがあるとき、前記周期の１／４に等しい前記第１のストリームと前記第２のストリームとのうちの一方に対するサイクリックシフト遅延をもつ第３のストリームを送信するための手段と、
少なくとも４つのストリームがあるとき、前記周期の４分の１に等しい前記第１のストリームと前記第２のストリームとのうちの他方に対するサイクリックシフト遅延をもつ第４のストリームを送信するための手段と
を備える、装置。
［Ｃ２２］
前記第１のストリームに対する４μｓのサイクリックシフト遅延をもつ前記第２のストリームを送信することを含む、前記第２のストリームを送信するための手段と、
前記第１のストリームに対する２μｓのサイクリックシフト遅延をもつ前記第３のストリームを送信することを含む、前記第３のストリームを送信するための手段と、
前記第１のストリームに対する６μｓのサイクリックシフト遅延をもつ前記第４のストリームを送信することを含む、前記第４のストリームを送信するための手段と
をさらに備える、上記Ｃ２１に記載の装置。
［Ｃ２３］
少なくとも１つのストリームを送信するための手段が、シングルセグメントフレームのオムニ部分を送信するための手段を含む、上記Ｃ２２に記載の装置。
［Ｃ２４］
ストリーム帯域幅、フレームフォーマット、および送信アンテナのうちの１つまたは複数に基づいて、前記ストリームの各々のための新しいサイクリックシフト遅延テーブルを選択するための手段と、
前記選択されたサイクリックシフト遅延テーブルに基づいて各ストリームにサイクリックシフト遅延を適用するための手段と、
前記適用されたサイクリックシフト遅延を用いて前記ストリームを送信するための手段と
をさらに備える、上記Ｃ２１に記載の装置。
［Ｃ２５］
第１のサイクリックシフト遅延テーブルに従ってデータユニットの第１の部分を送信するための手段と、
第２のサイクリックシフト遅延テーブルに従って前記データユニットの第２の部分を送信するための手段と
をさらに備える、上記Ｃ２１に記載の装置。
［Ｃ２６］
前記第１の部分がオムニ部分を含み、前記第２の部分が、プリコーディングされた部分を含む、上記Ｃ２５に記載の装置。
［Ｃ２７］
前記第１のサイクリックシフト遅延テーブルが、ペイロードの受信電力で除算されたショートトレーニングフィールドの受信電力のメトリックに基づいて決定される、上記Ｃ２５に記載の装置。
［Ｃ２８］
前記第２のサイクリックシフト遅延テーブルが、信号フィールドの受信電力で除算されたショートトレーニングフィールドの受信電力のメトリックに基づいて決定される、上記Ｃ２５に記載の装置。
［Ｃ２９］
送信するための手段が、１ＭＨｚ帯域幅で送信するための手段を含む、上記Ｃ２１に記載の装置。
［Ｃ３０］
送信するための手段が、シングルセグメントフレームを送信するための手段を含む、上記Ｃ２１に記載の装置。
［Ｃ３１］
実行されたときに、
２ＭＨｚ以下の帯域幅をもつ第１のストリームを送信することと、
少なくとも２つのストリームがあるとき、周期の１／２に等しい前記第１のストリームに対するサイクリックシフト遅延をもつ第２のストリームを送信することと、
少なくとも３つのストリームがあるとき、前記周期の１／４に等しい前記第１のストリームと前記第２のストリームとのうちの一方に対するサイクリックシフト遅延をもつ第３のストリームを送信することと、
少なくとも４つのストリームがあるとき、前記周期の１／４に等しい前記第１のストリームと前記第２のストリームとのうちの他方に対するサイクリックシフト遅延をもつ第４のストリームを送信することと
を装置に行わせるコードを備える非一時的コンピュータ可読媒体。
［Ｃ３２］
実行されたときに、
前記第１のストリームに対する４μｓのサイクリックシフト遅延をもつ前記第２のストリームを送信することを含む、前記第２のストリームを送信することと、
前記第１のストリームに対する２μｓのサイクリックシフト遅延をもつ前記第３のストリームを送信することを含む、前記第３のストリームを送信することと、
前記第１のストリームに対する６μｓのサイクリックシフト遅延をもつ前記第４のストリームを送信することを含む、前記第４のストリームを送信することと
を前記装置に行わせるコードをさらに備える、上記Ｃ３１に記載の媒体。
［Ｃ３３］
少なくとも１つのストリームを送信することが、シングルセグメントフレームのオムニ部分を送信することを含む、上記Ｃ３２に記載の媒体。
［Ｃ３４］
実行されたときに、
ストリーム帯域幅、フレームフォーマット、および送信アンテナのうちの１つまたは複数に基づいて、前記ストリームの各々のための新しいサイクリックシフト遅延テーブルを選択することと、
前記選択されたサイクリックシフト遅延テーブルに基づいて各ストリームにサイクリックシフト遅延を適用することと、
前記適用されたサイクリックシフト遅延を用いて前記ストリームを送信することと
を前記装置に行わせるコードをさらに備える、上記Ｃ３１に記載の媒体。
［Ｃ３５］
実行されたときに、
第１のサイクリックシフト遅延テーブルに従ってデータユニットの第１の部分を送信することと、
第２のサイクリックシフト遅延テーブルに従って前記データユニットの第２の部分を送信することと
を前記装置に行わせるコードをさらに備える、上記Ｃ３１に記載の媒体。
［Ｃ３６］
前記第１の部分がオムニ部分を含み、前記第２の部分が、プリコーディングされた部分を含む、上記Ｃ３５に記載の媒体。
［Ｃ３７］
前記第１のサイクリックシフト遅延テーブルが、ペイロードの受信電力で除算されたショートトレーニングフィールドの受信電力のメトリックに基づいて決定される、上記Ｃ３５に記載の媒体。
［Ｃ３８］
前記第２のサイクリックシフト遅延テーブルが、信号フィールドの受信電力で除算されたショートトレーニングフィールドの受信電力のメトリックに基づいて決定される、上記Ｃ３５に記載の媒体。
［Ｃ３９］
送信することが、１ＭＨｚ帯域幅で送信することを含む、上記Ｃ３１に記載の媒体。
［Ｃ４０］
送信することが、シングルセグメントフレームを送信することを含む、上記Ｃ３１に記載の媒体。